(57)【特許請求の範囲】
【請求項１】
ディスクＤを回転させるターンテーブル（２）と、該ターンテーブル（２）に対して半径線上を移動しディスクＤの信号面にレーザー光を発するピックアップ（３）と、該ピックアップ（３）を走行駆動する走行駆動装置（５）とを同一シャーシ（１）上に配備して構成され、ピックアップ（３）は主軸（４）と副軸（４０）に案内されて走行するディスク装置において、
走行駆動装置（５）のフレーム（７）と、主軸（４）の両端を支持するブラケット（７４）（７４）はシャーシ（１）に取り付けられ、
主軸（４）の一端はブラケット（７４）に設けられた内周側のガイド溝で位置規制されるとともに、シャーシ（１）に取り付けられた金属部材（８）により高さ規制されることを特徴とするディスク装置。
【発明の詳細な説明】
【０００１】
【発明の属する技術分野】
本発明は、一対のガイド軸に案内されて走行駆動するピックアップにてディスクの信号面を読み取るディスク装置に関する。
【０００２】
【従来の技術】
図５は、斯種ディスク装置のピックアップ（３）の周辺を示した図である。
【０００３】
また、図６は従来例にかかる装置におけるフレーム周辺の斜視図である。
【０００４】
シャーシ（１）上にターンテーブル（２）が設けられ、シャーシ（１）と平行する面内にて該ターンテーブル（２）に接近離間可能にピックアップ（３）が配備され、ターンテーブル（２）に走行駆動装置（５）が連繋される。
【０００５】
ピックアップ（３）の両端は、一対のガイド軸（４）（４０）にスライド可能に嵌まり、ターンテーブル（２）に載置されるディスクＤの半径線上を走行する。
【０００６】
各ガイド軸（４）（４０）の両端は、シャーシ（１）にビス止め固定されたブラケット
（７４）に高さ調節機構（６）を介して支持されている。
【０００７】
高さ調節機構（６）は、ガイド軸（４）（４０）の傾き、即ち、ピックアップ（３）の傾きを調整することにより、ピックアップ（３）からディスクＤの信号記録面に当てたレーザー光の反射信号を正しく読み取るための機構である。
【０００８】
走行駆動装置（５）は、モータ（５１）の回転を歯車列（５２）を介してネジ軸（５６）に伝達し、該ネジ軸（５６）の回転によって生じるネジ推力でピックアップ（３）を走行させる。
【０００９】
走行駆動装置（５）のフレーム（７）は合成樹脂の射出成形により形成され、繋ぎ部（７１）の両端に繋ぎ部（７１）と直交して支持部（７２）（７２）を設け、該支持部（７２）にネジ軸（５６）の端部が回転可能に嵌まる貫通孔（７３）（７３）を開設している。
【００１０】
フレーム（７）は、複数のビス（５５）によりシャーシ（１）に固定される。
【００１１】
各支持部（７２）（７２）には、ブラケット（７４）（７４）が形成されている。
【００１２】
各ブラケット（７４）には、互いに対向する内側面及び上面が開口した切欠き部（７５）（７６）が開設され、一方の切欠き部（７５）は深く、他方の切欠き部（７６）は浅くなっている。
【００１３】
そして、図７に示すように、浅い切欠き部（７６）に前記一方のガイド軸（４）の端部を嵌め、押えバネ板（７８）を被せて該押えバネ板（７８）をビス（７８ａ）にてブラケット（７４）に固定している。この浅い切欠き部（７６）に嵌まったガイド軸（４）の端部は高さ調整が利かず、基準高さを保持する。
【００１４】
一方、図３に示すように深い切欠き部（７５）には圧縮バネ（７９）が嵌まり、該バネ（７９）の上からガイド軸（４）の端部が切欠き部（７５）に嵌まり、プレート（７７）が被せられる。プレート（７７）はビス（７７ａ）にてブラケット（７４）に固定され、プレート（７７）に貫通螺合された押しビス（７７ｂ）がガイド軸（４）の端部を押圧する。そして、押しビス（７７ｂ）を締め付け或いは緩めることにより、ガイド軸（４）のシャーシ（１）に対する傾き調整ができる構造となっている。
【００１５】
【発明が解決しようとする課題】
上述のディスク装置では、ガイド軸の主軸を支持する樹脂製のブラケットにより内周側の位置規制と高さ規制を行っており、これにより主軸内周端が固定されていることから、主軸と副軸の高さの基準は主軸の内周端となり、これを基準にして他端の高さを可変しピックアップの光軸調整を行っている。
【００１６】
そして、ブラケットは量産性、コスト面から樹脂材料を用いた成型部品で構成されており、装置が高温になった後、常温に戻ると樹脂のクリープ特性により内周端の高さが変化し、調整した光軸がずれてしまうという問題がある。
【００１７】
そこで、本発明の目的は、温度変化に影響されることなくガイド軸の平行度を保ち、光軸のずれが発生しないディスク装置を提供することである。
【００１８】
【課題を解決する手投】
本発明は、上記課題を解決するために、ディスクＤを回転させるターンテーブルと、該ターンテーブルに対して半径線上を移動しディスクＤの信号面にレーザー光を発するピックアップと、該ピックアップを走行駆動する走行駆動装置とを同一シャーシ上に配備して構成され、ピックアップは主軸と副軸に案内されて走行するディスク装置において、走行駆動装置のフレームと、主軸の両端を支持するブラケットはシャーシに取り付けられ、主軸はブラケットに設けられた内周側のガイド溝で位置規制されるとともに、シャーシに取り付けられたヒートショックによるクリープの影響が小さい金属部材により高さ規制を行う。
【００１９】
【作用及び効果】
本発明のディスク装置は、主軸内周端のブラケットの受け面を無くし、主軸の位置規制するためのガイド溝だけの形状とし、ガイド溝の位置にヒートショックによるクリープの影響が小さい金属部材をシャーシにカシメて取り付け、主軸の受け面としている。
【００２０】
これにより、温度の変化に影響を受けること無くガイド軸の高い位置決め精度を得ることができ、ピックアップ（３）を正確にディスクＤの半径線に沿って走行させ、正しく信号を読み取ることができる。
【００２１】
【発明の実施の形態】
以下、図１〜図５を用いて本発明の一実施例について詳述する。
【００２２】
図１は本発明にかかるフレームの周辺を示す斜視図である。
【００２３】
シャーシ（１）にディスクＤを回転させるターンテーブル（２）が設けられ、ディスクＤの信号面にレーザー光を発するピックアップ（３）がターンテーブル（２）に接近離間可能に設けられている。
【００２４】
ピックアップ（３）は両端部が、シャーシ（１）上の平行ガイド軸（４）（４０）にスライド可能に嵌まっている。周知の如く、ディスクＤが回転し、ピックアップ（３）がディスクＤの半径線上を移動して、ディスクＤに対する信号の記録又は再生ができる。
【００２５】
一方のガイド軸（４）に接近してピックアップ（３）の走行駆動装置（５）が配備される。該走行駆動装置（５）は、モータ（５１）の回転を歯車列（５２）を介してネジ軸（５６）に伝達し、該ネジ軸（５６）の回転によって生じるネジ推力でピックアップ（３）を走行駆動するものである。
【００２６】
走行駆動装置（５）のフレーム（７）は合成樹脂の射出成形により形成され、繋ぎ部（７１）の両端に繋ぎ部（７１）と直交して支持部（７２）（７２）を設け、該支持部（７２）にネジ軸（５６）の端部が回転可能に嵌まる貫通孔（７３）（７３）を開設している。
【００２７】
フレーム（７）は、複数のビス（５５）によりシャーシ（１）に固定される。
【００２８】
各支持部（７２）（７２）には、フレーム（７）の成形時にブラケット（７４ａ）（７４ｂ）が一体に形成されている。
【００２９】
ブラケット（７４ａ）には、互いに対向する内側面及び上面が開口した切欠き部（７５）が開設され、ブラケット（７４ｂ）には互いに対向する内側面及び上下面が開口した切り欠き部（７６）が開設されている。
【００３０】
切欠き部（７５）（７６）の開口幅はガイド軸（４）がガタつくことなく嵌まる大きさである。
【００３１】
図２に示すように、上下面が開口した切り欠き部（７６）にガイド軸（４）の端部を嵌めると同時に、シャーシ（１）にカシメたピン（８）に載せてから押えバネ板（７８）を被せて、押えバネ板（７８）をビス（７８ａ）にてブラケット（７４）に固定されている。
【００３２】
切り欠き部（７６）に嵌まった主軸（４）は切り欠き部のガイド（７６）で位置規制され、ピン（８）で基準高さに保持される。
【００３３】
なお、カシメたピン（８）はヒートショックによるクリープの影響が小さい金属部材（例えば、真鍮ピン）を用いる。
【００３４】
切欠き部（７６）に嵌まったガイド軸（４）の端部は高さ調整が利かず、ピン（８）により基準高さを保持する。
【００３５】
又、前記支持部（７２）（７２）の貫通孔（７３）（７３）にネジ軸（５６）の両端を嵌め、切欠き部（７５）（７６）にガイド軸（４）の両端を嵌めたとき、平面から見た状態でネジ軸（５６）とガイド軸（４０）の平行が保持される様に、貫通孔（７３）（７３）及び切欠き部（７５）（７６）の位置精度は高い。これは、フレーム（７）を射出成形する金型の加工精度に依るものであり、組立時にはネジ軸（５６）とガイド軸（４）の平行度に気使う必要はない。
【００３６】
切欠き部（７５）には圧縮バネ（７９）が嵌まり、該バネ（７９）の上からガイド軸（４）の端部が切欠き部（７５）に嵌まり、プレート（７７）が被せられる。プレート（７７）はビス（７７ａ）にてブラケット（７４）に固定され、プレート（７７）に貫通螺合された押しビス（７７ｂ）がガイド軸（４）の端部を押圧する。  押しビス（７７ｂ）を締め付け或いは緩めることにより、ガイド軸（４）のシャーシ（１）に対する傾き調整ができる。
【００３７】
他方のガイド軸（４０）の両端は、夫々別個にシャーシ（１）にネジ止め固定されたブラケット（４２）（４２）に支持される。
【００３８】
両ブラケット（４２）（４２）には、図４に示すように、互いに対向する内側面及び上面が開口した切欠き部（４３）が開設され、切欠き部（４３）には圧縮バネ（７９）が嵌まり、該バネ（７９）の上からガイド軸（４０）の端部が切欠き部（４３）に嵌まり、プレート（７７）が被せられる。
【００３９】
プレート（７７）はビス（７７ａ）にてブラケット（４２）に固定され、プレート（７７）に貫通螺合された押しビス（７７ｂ）がガイド軸（４０）の端部を押圧する。
【００４０】
押しビス（７７ｂ）を締め付け或いは緩めることにより、ガイド軸（４０）のシャーシ（１）に対する高さ調整及び傾き調整ができる。
【００４１】
前記ピックアップ（３）のネジ軸（５６）側の端部にバネ板（３１）が突設され、該バネ板（３１）の下面に形成した突条（３２）が前記走行駆動装置（５）のネジ軸（５６）の螺旋溝に嵌まっている。
【００４２】
ネジ軸（５６）の回転によって生じるネジ推力により、ピックアップ（３）はガイド
軸（４）（４０）に沿ってターンテーブル（２）に接近或いは離間する。
【００４３】
走行駆動装置（５）側のガイド軸（４）の両端を支持するブラケット（７４）（７４）は、走行駆動装置（５）のフレーム（７）に一体に形成されているため、該フレーム（７）をシャーシ（１）に固定すると、ブラケット（７４ａ）（７４ｂ）も同時にシャーシ（１）に固定されることなり、シャーシ走行駆動装置（５）のフレーム（７）とブラケット（７４）（７４）を別個にシャーシ（１）に固定することに較べて組み立ての簡素化を図ることができる。
【００４４】
又、フレーム（７）とブラケット（７４）（７４）を一体成形することにより、部品の数を少なくできる。又、フレーム（７）とブラケット（７４）（７４）を一体成形することによりフレーム（７）を大きく形成でき、該フレーム（７）とシャーシ（１）に互いに係合する位置決め孔と位置決め突起を設けておき、シャーシ（１）に対してフレーム（７）を位置決め精度を高めて固定できる。
【００４５】
走行駆動装置（５）のネジ軸（５６）と、ピックアップ（３）のガイド軸（４）の平行度はピックアップ（３）の円滑走行に影響するが、フレーム（７）の組立誤差は、ネジ軸（５６）の支持部（７２）とガイド軸（４）のブラケット（７４ａ）（７４ｂ）の平行度の誤差には現れないため、ネジ軸（５６）とガイド軸（４）の平行度の問題は生じない。
【００４６】
そして、上述の如く、シャーシに取り付けた金属部材により主軸固定端の高さを規制して保持することで、樹脂のクリープ特性による主軸固定端の高さ変動が無くなる。
【００４７】
これによって、ピックアップ（３）を高さ変動無く、正確にディスクＤの半径線に沿って走行させて正しく信号を読み取ることが可能となる。
【図面の簡単な説明】
【図１】本発明にかかるディスク装置のフレーム周辺の斜視図である。
【図２】本発明にかかる内周側ブラケットの断面図（Ｃ−Ｃ）である。
【図３】外周側ブラケットの断面図（Ａ−Ａ）である。
【図４】外周側ブラケットの断面図（Ｂ−Ｂ）である。
【図５】ディスク装置の平面図である。
【図６】従来のディスク装置のフレーム周辺の斜視図である。
【図７】従来の内周側ブラケットの断面図（Ｃ−Ｃ）である。
【符号の説明】
（１）シャーシ
（２）ターンテーブル
（３）ピックアップ
（４）ガイド軸
（８）ピン
（４０）ガイド軸
（５）走行駆動装置
（５６）ネジ軸
（７）フレーム
（７２）支持部
（７４）ブラケット
【図１】
0003668141.tif 000002
【図２】
0003668141.tif 000003
【図３】
0003668141.tif 000004
【図４】
0003668141.tif 000005
【図５】
0003668141.tif 000006
【図６】
0003668141.tif 000007
【図７】
0003668141.tif 000008